(57)【特許請求の範囲】
【請求項１】
園芸植物に関する園芸情報をこの園芸植物に対して表示可能な園芸用表示具であって、前記園芸情報を印字可能な園芸用ラベルと、この園芸用ラベルを前記園芸情報の文字起立方向に沿って貼り付け可能であるとともに、前記園芸植物を容れた鉢に対して固定可能な軸具と、を有し、前記軸具は、前記園芸用ラベルをそのまわりに貼り付けるラベル貼付け部と、前記ラベル貼付け部より下方側に位置しているとともに、前記園芸植物を容れた鉢の用土に差し込んで固定する差込み固定部と、前記軸具に貼り付ける上記園芸用ラベルの下端縁部が当接可能なフランジ部とともに、園芸植物の鉢の周縁部に係合可能な係合部を有し、前記係合部は、前記フランジ部の下縁部において前記差込み固定部に一体的に形成した基端部と、弾性を有する弾性挟み部と、自由端部と、を有し、前記自由端部が、前記鉢の周縁部に沿って前記弾性挟み部をガイドし、前記弾性挟み部の弾性力により前記軸具全体を前記鉢に取り付けることを特徴とする園芸用表示具。
【請求項２】
前記園芸用ラベルは、前記園芸情報を印字可能なラベル基材と、このラベル基材の一面に形成し、前記軸具に貼り付け可能とする粘着剤層と、この粘着剤層に仮着した台紙と、を有するとともに、この台紙を複数本の切断線により互いに分離可能な複数枚の単位台紙に形成してあることを特徴とする請求項１記載の園芸用表示具。
【請求項３】
前記切断線は、前記園芸情報の前記文字起立方向に沿ってこれを形成してあることを特徴とする請求項２記載の園芸用表示具。
【請求項４】
前記軸具は、前記園芸用ラベルをそのまわりに貼り付けるラベル貼付け部を有するとともに、このラベル貼付け部は、その表面に突起部あるいは窪み部を形成してあることを特徴とする請求項１記載の園芸用表示具。
【請求項５】
園芸植物に関する園芸情報をこの園芸植物に対して表示するための園芸用ラベルの取付け方法であって、
前記園芸情報を印字可能な園芸用ラベルと、前記園芸用ラベルを前記園芸情報の文字起立方向に沿って貼り付け可能であるとともに、前記園芸植物を容れた鉢に対して固定可能な軸具と、を有し、前記軸具は、前記園芸用ラベルをそのまわりに貼り付けるラベル貼付け部と、前記ラベル貼付け部より下方側に位置しているとともに、前記園芸植物を容れた鉢の用土に差し込んで固定する差込み固定部と、前記軸具に貼り付ける上記園芸用ラベルの下端縁部が当接可能なフランジ部とともに、園芸植物の鉢の周縁部に係合可能な係合部を有し、前記係合部は、前記フランジ部の下縁部において前記差込み固定部に一体的に形成した基端部と、弾性を有する弾性挟み部と、自由端部と、を有し、前記自由端部が、前記鉢の前記周縁部に沿って前記弾性挟み部をガイドし、前記弾性挟み部の弾性力により前記軸具全体を前記鉢に取り付けることを特徴とする園芸用ラベルの取付け方法。
【発明の詳細な説明】
【技術分野】
【０００１】
本発明は園芸用表示具、および園芸用ラベルの取付け方法にかかるもので、とくに園芸植物に関する園芸情報を可変情報として印字した上で、この園芸植物に耐候性良好に取り付けることができるようにした園芸用表示具、および園芸用ラベルの取付け方法に関するものである。
【背景技術】
【０００２】
従来から、各種の園芸植物について、その生産者や販売者（園芸店など）は、その園芸植物の名称、価格、その花の写真、栽培方法、栽培履歴その他各種の園芸情報を表示片（園芸用ラベルやタグ）に印字表示して、園芸植物ないしその鉢に取り付けて販売している。
【０００３】
この園芸用ラベルやタグの取付け方法として、たとえば園芸用ラベルを合成樹脂ないし合成紙で構成して園芸植物の鉢の用土に差し込む方法がある。
しかしながら、園芸用ラベルの、水分ないし湿度、温度さらに光などに対する耐性すなわち耐候性を確保しようとしてあまり剛性の高い材料を用いると、プリンターへの装填には適さず、可変情報としてその都度任意の内容を含む園芸情報の印字を行うことが困難で印字の融通性を確保することがむずかしいという問題がある。
逆に、園芸植物に関する各種の園芸情報を可変情報として印字するために、園芸用ラベルの材料として、プリンターなどに装填可能な剛性の低いものを用いると、園芸植物に取り付けた状態での耐候性が低下するという問題がある。
【０００４】
【特許文献１】特開２００７−５３９１０号公報
【発明の開示】
【発明が解決しようとする課題】
【０００５】
本発明は以上のような諸問題にかんがみなされたもので、園芸植物に関する園芸情報を表示するとともに、これを園芸植物の鉢に確実に取り付け可能な園芸用表示具、および園芸用ラベルの取付け方法を提供することを課題とする。
【０００６】
また本発明は、耐候性および印字融通性をともに適正に確保可能とした園芸用表示具、および園芸用ラベルの取付け方法を提供することを課題とする。
【０００７】
また本発明は、各種のプリンターに園芸用ラベルを装填して園芸情報を可変情報として印字可能であるとともに、光、湿度さらに温度などに対する耐候性を確保可能とした園芸用表示具、および園芸用ラベルの取付け方法を提供することを課題とする。
【０００８】
また本発明は、園芸情報の内容や量に応じて、園芸用ラベルの取付け形態を各種選択可能とし、園芸情報を見やすく表示することができるようにした園芸用表示具、および園芸用ラベルの取付け方法を提供することを課題とする。
【課題を解決するための手段】
【０００９】
すなわち本発明は、園芸用ラベルによる園芸情報を表示する表示機能と、園芸用ラベ
ルを園芸植物（ないしその鉢）に取り付ける取付け機能と、を園芸用ラベルと軸具とにそ
れぞれ分担させることに着目したもので、第一の発明は、園芸植物に関する園芸情報をこの園芸植物に対して表示可能な園芸用表示具であって、前記園芸情報を印字可能な園芸用ラベルと、この園芸用ラベルを前記園芸情報の文字起立方向に沿って貼り付け可能であるとともに、前記園芸植物を容れた鉢に対して固定可能な軸具と、を有し、前記軸具は、前記園芸用ラベルをそのまわりに貼り付けるラベル貼付け部と、前記ラベル貼付け部より下方側に位置しているとともに、前記園芸植物を容れた鉢の用土に差し込んで固定する差込み固定部と、前記軸具に貼り付ける上記園芸用ラベルの下端縁部が当接可能なフランジ部とともに、園芸植物の鉢の周縁部に係合可能な係合部を有し、前記係合部は、前記フランジ部の下縁部において前記差込み固定部に一体的に形成した基端部と、弾性を有する弾性挟み部と、自由端部と、を有し、前記自由端部が、前記鉢の周縁部に沿って前記弾性挟み部をガイドし、前記弾性挟み部の弾性力により前記軸具全体を前記鉢に取り付けることを特徴とする園芸用表示具である。
【００１０】
第二の発明は、園芸植物に関する園芸情報をこの園芸植物に対して表示するための園芸用ラベルの取付け方法であって、前記園芸情報を印字可能な園芸用ラベルと、前記園芸用ラベルを前記園芸情報の文字起立方向に沿って貼り付け可能であるとともに、前記園芸植物を容れた鉢に対して固定可能な軸具と、を有し、前記軸具は、前記園芸用ラベルをそのまわりに貼り付けるラベル貼付け部と、前記ラベル貼付け部より下方側に位置しているとともに、前記園芸植物を容れた鉢の用土に差し込んで固定する差込み固定部と、前記軸具に貼り付ける上記園芸用ラベルの下端縁部が当接可能なフランジ部とともに、園芸植物の鉢の周縁部に係合可能な係合部を有し、前記係合部は、前記フランジ部の下縁部において前記差込み固定部に一体的に形成した基端部と、弾性を有する弾性挟み部と、自由端部と、を有し、前記自由端部が、前記鉢の前記周縁部に沿って前記弾性挟み部をガイドし、前記弾性挟み部の弾性力により前記軸具全体を前記鉢に取り付けることを特徴とする園芸用ラベルの取付け方法である。
【００１１】
上記園芸用ラベルは、上記園芸情報を印字可能なラベル基材と、このラベル基材の一面に形成し、上記軸具に貼り付け可能とする粘着剤層と、この粘着剤層に仮着した台紙と、を有するとともに、この台紙を複数本の切断線により互いに分離可能な複数枚の単位台紙に形成してあることができる。
【００１２】
上記切断線は、上記園芸情報の上記文字起立方向に沿ってこれを形成してあることができる。
【００１３】
上記軸具は、上記園芸用ラベルをそのまわりに貼り付けるラベル貼付け部と、このラベル貼付け部より下方側に位置しているとともに、上記園芸植物を容れた鉢の用土に差し込んで固定する差込み固定部と、を有することができる。
【００１４】
上記軸具は、上記園芸用ラベルをそのまわりに貼り付けるラベル貼付け部を有するとともに、このラベル貼付け部は、その表面に突起部あるいは窪み部を形成してあることができる。
【００１５】
上記軸具は、上記軸具に貼り付ける上記園芸用ラベルの下端縁部が当接可能なフランジ部を有することができる。
【００１６】
上記軸具は、上記園芸植物の鉢の周縁部に係合可能な係合部を有することができる。
【００１７】
上記園芸用ラベルは、上記軸具のまわりに巻き付けるようにしてこれを貼り付けることができる。
【００１８】
上記園芸用ラベルは、これをプリンターに装填して可変情報を印字可能であるが、その一部には、印字を行わないようにする印字不可領域を設けておくことができ、この印字不可領域の部分を、上記軸具に巻き付けるように貼り付ける部位とすることができる。
【発明の効果】
【００１９】
本発明による園芸用表示具、および園芸用ラベルの取付け方法においては、園芸用ラベルにプリンターなどによる印字を必要に応じて可変的に行うことができるようにするとともに、この印字済みの園芸用ラベルをその文字起立方向に沿って軸具に正しい姿勢で貼り付け可能としたので、園芸情報を園芸用ラベルに可変情報として任意に印字表示するとともに、耐候性を確保可能な軸具による園芸用ラベルの園芸植物ないしその鉢への取付け機能を確実に保有することができる。
【００２０】
とくに第一の発明によれば、園芸情報を可変的に印字可能な園芸用ラベルと、この園芸用ラベルを園芸情報の文字起立方向に沿って貼り付け可能な少なくとも一本の軸具と、を設けたので、園芸用ラベルを園芸植物を容れた鉢に対して確実かつ耐候性良好に取り付け可能である。
【００２１】
とくに第二の発明によれば、園芸情報を可変的に印字可能な園芸用ラベルを、少なくとも一本の軸具に園芸情報の文字起立方向に沿って貼り付けるようにしたので、軸具を介して園芸用ラベルを鉢に対して取り付けることができる。
【発明を実施するための最良の形態】
【００２２】
本発明は、園芸用ラベルおよびこの園芸用ラベルを鉢に取り付ける軸具を設けたので、園芸情報を表示する表示機能と、園芸用ラベルを園芸植物の鉢に取り付ける取付け機能と、を園芸用ラベルと軸具とにそれぞれ分担させ、耐候性および印字融通性ともに良好に園芸用ラベルを取り付けることができる園芸用表示具、および園芸用ラベルの取付け方法を実現した。
【実施例】
【００２３】
つぎに本発明の第１の実施例による園芸用表示具１、および園芸用ラベルの取付け方法を図１ないし図５にもとづき説明する。
園芸用表示具１は、園芸植物に関する園芸情報をこの園芸植物に対して表示可能であって、園芸用ラベル２と、軸具３と、を有する（図５を参照）。
図１は、園芸用表示具１における園芸用ラベル２の平面図、図２は、同、裏面図、図３は、図１のＩＩＩ−ＩＩＩ線断面図、図４は、軸具３の斜視図、図５は、園芸用表示具１の使用状態（園芸用ラベル２の取付け状態）の一例を示す斜視図である。
園芸用ラベル２は、任意のプリンター（図示せず）に装填可能であって、任意の園芸情報を印字可能である。
とくに図３に示すように、園芸用ラベル２は、園芸情報をその一面（表面）に印字可能なラベル基材４と、このラベル基材４の他の一面（裏面）に形成して軸具３に貼り付け可能とする粘着剤層５と、この粘着剤層５に仮着した台紙６と、を有する。
【００２４】
ラベル基材４は、印字可能な任意の材料からこれを構成する。印字にあたっては、上記プリンターからのデータ入力はもちろん、任意のパソコン（図示せず）においてデータないし画像を作成してプリンターによる印字を行うようにすることもできる。
ラベル基材４の表面側には、上記園芸情報を可変的に印字するための印字領域４Ａと、印字領域４Ａ以外の印字不可領域４Ｂと、を設けている。後述するように、この印字不可領域４Ｂが粘着剤層５に巻き付けるように貼り付くものである。
図１に示した例では、ラベル基材４の中央部に所定の幅で印字不可領域４Ｂを設けているとともに、その両側に印字領域４Ａをそれぞれ設けて、それぞれの印字領域４Ａに、たとえば同一の内容を印字可能とすることができる。
【００２５】
台紙６は、剥離剤層（図示せず）を有し、粘着剤層５から剥離可能であって、園芸情報の文字起立方向に沿った互いに等間隔の複数本の切断線７によりこれを互いに分離可能な複数枚の単位台紙６Ａとしてある。
【００２６】
軸具３は、耐候性および剛性に優れた、たとえば合成樹脂材料などの材料からこれを構成するもので、この園芸用ラベル２を園芸情報の文字起立方向に沿って貼り付け可能であるとともに、園芸植物を容れた鉢ないしその用土に対して固定可能である。この軸具３は、少なくとも一本これを設ける。
とくに図４に示すように、軸具３は、園芸用ラベル２をそのまわりに貼り付ける上方側のラベル貼付け部８と、このラベル貼付け部８より下方側に位置しているとともに、園芸植物を容れた鉢の用土に差し込んで固定する差込み固定部９と、ラベル貼付け部８および差込み固定部９の境界部に位置しているとともに、軸具３に貼り付ける園芸用ラベル２の下端縁部が当接可能なフランジ部１０と、を有する。
ラベル貼付け部８は、その表面に多数の突起部１１（あるいは窪み部、図示せず）を形成してある。
差込み固定部９は、その先端部をテーパー部として、用土に差し込みやすくしている。
【００２７】
こうした構成の園芸用表示具１において、園芸用ラベル２を任意のプリンターに装填して、その印字領域４Ａに、園芸植物の名称や価格、その他必要な所定の園芸情報、さらに必要ならば、所定のデザインや画像を印字する。
つぎに、とくに図５に示すように、ラベル基材４の中央部に位置している印字不可領域４Ｂの裏面側における台紙６（単位台紙６Ａ）を必要枚数だけ剥がしてラベル基材４から取り除き、その部分の粘着剤層５を露出させる。
園芸用ラベル２の印字不可領域４Ｂの部分を軸具３（ラベル貼付け部８）のまわりに巻き付けるようにして貼り付ける。この際に、軸具３のフランジ部１０が園芸用ラベル２（ラベル基材４）の下端縁部に当接可能であるので、貼付け位置を確認しながら貼付け作業を確実に行うことができるとともに、貼り付けた園芸用ラベル２が重力により下方にずれ落ちることを防止可能である。この貼付け状態では、軸具３の左右に同一の園芸情報を表示可能である。
なお必要ならば、印字不可領域４Ｂから遠い園芸用ラベル２の両端部においても単位台紙６Ａをそれぞれ剥がし取ることにより、この端部部分でラベル基材４を互いに貼り合わせることもできるので、園芸用ラベル２の表裏面に同一の園芸情報を表示可能とし、かつ園芸用ラベル２を軸具３により確実に取り付けておくことができる。
【００２８】
さらに、園芸情報を印字済み園芸用ラベル２を軸具３に園芸情報の文字起立方向に沿って貼り付けるとともに、この軸具３を園芸植物を容れた鉢に差し込んで固定可能とするので、園芸用ラベル２を正しい姿勢で、鉢に対して倒れ防止可能に取り付けることができる。
また、軸具３自体は耐候性および剛性に優れているため、長期間の取付け状態にあっても、園芸用ラベル２の適正な取付け状態を保持することができる。
もちろん、園芸用ラベル２が汚れたり、あるいは折れ曲がったりした場合には、園芸用ラベル２を軸具３から剥がすとともに、新しい園芸用ラベル２を準備し、ラベル基材４に印字した上で取り替えることができる。この取り替えの際に、軸具３のラベル貼付け部８には突起部１１が形成されているので、園芸用ラベル２の剥がし作業が容易である。
園芸用ラベル２を剥がして、他の園芸情報を別途印字した園芸用ラベル２を軸具３に取り付ける場合にも同様で、軸具３自体はこれを再利用可能である。
【００２９】
図６は、本発明の園芸用表示具１における園芸用ラベル２の他の取付け方法を示す斜視図であって、ラベル基材４における前記印字不可領域４Ｂをラベル基材４のいずれか一方の端部側に形成している。
したがって、このような構成の園芸用ラベル２の場合には、園芸用ラベル２の端部において台紙６（単位台紙６Ａ）をラベル基材４から剥離し、この端部を軸具３のラベル貼付け部８にまわりに巻き付けるようにした貼り付けることができるもので、ラベル基材４の印字領域４Ａをより広く取って、たとえば、その園芸植物の上手な育て方など比較的情報量の多い内容を表示することができる。
【００３０】
図７は、本発明の園芸用表示具１における園芸用ラベル２のさらに他の取付け方法を示す斜視図であって、軸具３を二本準備し、また、園芸用ラベル２をさらに横長の形状とするとともに印字不可領域４Ｂをその両端部に設け、その両端部において単位台紙６Ａを剥がし、軸具３にそれぞれ貼り付けることができる。
かくして、この取付け方法によれば、園芸用ラベル２を任意の横幅に形成して、より多くの園芸情報を印字表示可能であるとともに、二本の軸具３によって、園芸用ラベル２をより確実かつピンと張った状態で取り付けておくことができる。
【００３１】
図８は、本発明の第２の実施例による園芸用表示具２０の側面図であって、園芸用表示具２０は、既述の園芸用ラベル２とともに、軸具２１を有する。
この軸具２１は、前記ラベル貼付け部８、差込み固定部９およびフランジ部１０とともに、園芸植物の鉢Ｐの周縁部ＰＡに係合可能な係合部２２を有する。
係合部２２は、フランジ部１０の下縁部において差込み固定部９に一体的に形成した基端部２２Ａと、弾性を有する弾性挟み部２２Ｂと、自由端部２２Ｃと、を有する。
この自由端部２２Ｃが、鉢Ｐの周縁部ＰＡに沿って弾性挟み部２２Ｂをガイドし、弾性挟み部２２Ｂの弾性力により軸具２１全体を鉢Ｐに確実かつ適正な姿勢で取り付けることができる。
【００３２】
こうした構成の園芸用表示具２０（軸具２１）によっても、既述の園芸用表示具１と同様な園芸用ラベル２の軸具２１への取付け作業を実行可能であって、とくにその係合部２２により軸具２１全体の鉢Ｐに対する姿勢がずれてしまうことがない。
【図面の簡単な説明】
【００３３】
【図１】本発明の第１の実施例による園芸用表示具１における園芸用ラベル２の平面図である。
【図２】同、裏面図である。
【図３】同、図１のＩＩＩ−ＩＩＩ線断面図である。
【図４】同、軸具３の斜視図である。
【図５】同、園芸用表示具１の使用状態（園芸用ラベル２の取付け状態）の一例を示す斜視図である。
【図６】同、本発明の園芸用表示具１における園芸用ラベル２の他の取付け方法を示す斜視図である。
【図７】同、本発明の園芸用表示具１における園芸用ラベル２のさらに他の取付け方法を示す斜視図である。
【図８】本発明の第２の実施例による園芸用表示具２０の側面図である。
【符号の説明】
【００３４】
１  園芸用表示具（第１の実施例、図１〜図５）
２  園芸用ラベル
３  軸具
４  ラベル基材
４Ａ  ラベル基材４の印字領域
４Ｂ  ラベル基材４の印字不可領域
５  粘着剤層
６  台紙
６Ａ  複数本の切断線７により互いに分離可能とした単位台紙（図２）
７  切断線
８  ラベル貼付け部
９  差込み固定部
１０  フランジ部
１１  突起部
２０  園芸用表示具（第２の実施例、図８）
２１  軸具
２２  係合部
２２Ａ  係合部２２の基端部
２２Ｂ  係合部２２の弾性挟み部
２２Ｃ  係合部２２の自由端部
Ｐ    園芸植物の鉢（図８）
ＰＡ  鉢Ｐの周縁部
【図１】
0005028622.tif 000002
【図２】
0005028622.tif 000003
【図３】
0005028622.tif 000004
【図４】
0005028622.tif 000005
【図５】
0005028622.tif 000006
【図６】
0005028622.tif 000007
【図７】
0005028622.tif 000008
【図８】
0005028622.tif 000009